(57)【特許請求の範囲】
【請求項１】
エンボス凸部と該エンボス凸部に対応するエンボス凹部とが表裏に複数形成された第１のシートと、
エンボス凸部と該エンボス凸部に対応するエンボス凹部とが表裏に複数形成された第２のシートとを有し、
前記第１のシートと前記第２のシートとが、エンボス凸部の形成面をネステッド形式で対面させて一体化した衛生薄葉紙であって、
前記第１のシート及び前記第２のシートは、複数のエンボス凸部と複数の非エンボス凸部とが形成されたエンボス部を有し、
前記第１のシート及び前記第２のシートの少なくともいずれかが、複数のエンボス凸部と複数の非エンボス凸部とが形成されない非エンボス部を有し、
前記非エンボス部が、交差部を持たない形状を有する、衛生薄葉紙。
【請求項２】
前記非エンボス部同士が対向して形成される空間がない、請求項１に記載の衛生薄葉紙。
【請求項３】
前記第１のシートは、前記非エンボス部を有し、
前記第２のシートは、前記非エンボス部を有さない、請求項１に記載の衛生薄葉紙。
【請求項４】
前記第１のシート及び前記第２のシートは、それぞれ２つ以上のシート領域を有し、
前記第１のシートの該シート領域の少なくとも１つのシート領域には、前記非エンボス部を有する非エンボス領域が形成され、
前記第２のシートの該シート領域には、前記非エンボス部を有さないエンボス領域のみが形成されている、請求項３に記載の衛生薄葉紙。
【請求項５】
前記非エンボス部は複数のパターンで形成されている、請求項３に記載の衛生薄葉紙。
【請求項６】
前記複数のパターンのうち隣り合う２つのパターンが、３６０°／ｎ回転対称（ｎは１以上の整数）である、請求項５に記載の衛生薄葉紙。
【請求項７】
前記複数のパターンのうち隣り合う２つのパターンが、点対称である、請求項５に記載の衛生薄葉紙。
【請求項８】
前記非エンボス部の面積率が３〜１６％である、請求項１乃至７のいずれか１項に記載の衛生薄葉紙。
【請求項９】
前記第１のシートは、複数のエンボス凸部と複数の非エンボス凸部とが形成された第１のエンボス部と、複数のエンボス凸部と複数の非エンボス凸部とが形成されない第１の非エンボス部とを有し、
前記第２のシートは、複数のエンボス凸部と複数の非エンボス凸部とが形成された第２のエンボス部と、複数のエンボス凸部と複数の非エンボス凸部とが形成されない第２の非エンボス部とを有し、
前記第１の非エンボス部は、前記第２のエンボス部と対面し、
前記第２の非エンボス部は、前記第１のエンボス部と対面する、請求項１に記載の衛生薄葉紙。
【請求項１０】
前記第１のシート及び前記第２のシートは、それぞれ２つ以上のシート領域を有し、
前記第１のシートの該シート領域は、前記第１の非エンボス部を有さない第１のエンボス領域と前記第１の非エンボス部を有する第１の非エンボス領域とが形成され、
前記第２のシートの該シート領域は、前記第２の非エンボス部を有さない第２のエンボス領域と前記第２の非エンボス部を有する第２の非エンボス領域とが形成され、
前記第１の非エンボス領域と前記第２の非エンボス領域とが重ならないように配置されている、請求項９に記載の衛生薄葉紙。
【請求項１１】
前記第２のエンボス部に対面する前記第１の非エンボス部のパターンと前記第１のエンボス部に対面する前記第２の非エンボス部のパターンとが、９０°×ｎ回転対称（ｎは奇数）である、請求項９に記載の衛生薄葉紙。
【請求項１２】
前記第２のエンボス部に対面する前記第１の非エンボス部のパターンと前記第１のエンボス部に対面する前記第２の非エンボス部のパターンとが、線対称である、請求項９に記載の衛生薄葉紙。
【請求項１３】
前記第１の非エンボス部および前記第２の非エンボス部の面積率が、３〜１６％である、請求項９乃至１２のいずれか１項に記載の衛生薄葉紙。
【発明の詳細な説明】
【技術分野】
【０００１】
本発明は、衛生薄葉紙に関する。
【背景技術】
【０００２】
キッチンペーパー等の衛生薄葉紙は、エンボス加工が施されたクレープ紙等のシートが積層された積層構造を備えるものが知られている。従来の衛生薄葉紙では、油分や水分の吸収性能を付与するため、各シートにエンボス加工を施して、一方の面に凸部（以下、エンボス凸部という）を形成し、他方の面に該凸部に対応する凹部（以下、エンボス凹部という）とを形成する。そして、これらのシートを積層することにより、積層されたシート間に空間（エンボス空間）が形成され、このエンボス空間に吸収した油分等が保持される。【０００３】
また、この種の衛生薄葉紙では、デザイン性や吸収性能（水分や油分の吸収量・保持量など）を向上させるため、各シートにエンボス加工により形成されたエンボス凸部及び該エンボス凸部に対応するエンボス凹部と複数のエンボス凸部に囲まれたエンボス凸部が存在しない部分（以下、非エンボス凸部という）とを形成する。さらに、これらのエンボス凸部と非エンボス凸部が形成されない部分（以下、非エンボス部という）同士が対向する非エンボス空間を形成し、この非エンボス空間に油分等を通過させることにより、油分等の吸収性能が高くなるようにしている。【０００４】
例えば、特公平６−２８９５１号公報（特許文献１）の図２には、エンボス加工された２枚のクレープ紙の凸部の頂部同士を対面させて接着したティップ  トゥ  ティップ（Ｔｉｐ  Ｔｏ  Ｔｉｐ）形式の積層構造を備えるキッチンタオル等の衛生紙が開示されている（図１４〜図１７参照）。【０００５】
また、米国特許第８４０９４０４号明細書（特許文献２）には、一方のクレープ紙の凸部の頂部が他方のクレープ紙の凸部ではない部分（対面する一方のクレープ紙から視て複数のエンボス凸部に囲まれた凸部が形成されない部分）に位置するように互い違いに凸部を配置して接着したネステッド（Ｎｅｓｔｅｄ）形式の積層構造を備えるキッチンペーパーが開示されている（図１８〜図２１参照）。【０００６】
さらに、特開２００８-２０８５０１号公報（特許文献３）には、内部に交差するライン状の非エンボス空間を備えるキッチンペーパーが開示されている（図１４〜図２１参照）。
【先行技術文献】
【特許文献】
【０００７】
【特許文献１】特公平６−２８９５１号公報
【特許文献２】米国特許第８４０９４０４号明細書
【特許文献３】特開２００８-２０８５０１号公報
【発明の概要】
【発明が解決しようとする課題】
【０００８】
しかしながら、特許文献１の構造（ティップ  トゥ  ティップ形式の積層構造）では、積層方向（厚み方向）の強度が低くなる傾向があり、衛生薄葉紙の使用時（例えば、皿に敷いたキッチンペーパーに揚げ物を置く場合など）に、荷重によって吸収した油分等が衛生薄葉紙の裏側（例えば、キッチンペーパーを載せた皿）に染み出す（裏抜けする）問題がある（図１４〜図１７参照）。【０００９】
また、特許文献２の構造（ネステッド形式の積層構造）では、ティップ  トゥ  ティップ形式の積層構造と比較して、使用対象との接触面積を小さくすることはできるものの、衛生薄葉紙内のエンボス空間が小さいため、使用時に荷重を受けた際に生じたわずかなエンボス空間の潰れにより、油分等が吸収され難くなり、また吸収した油分が染み出す問題がある（図１８〜図２１参照）。【００１０】
さらに、特許文献３に開示された非エンボス空間を有する衛生薄葉紙では、非エンボス空間にエンボス凸部による柱が存在しないため、厚み方向の荷重に対する強度が低下する。そのため、このような非エンボス空間が存在する従来の衛生薄葉紙では、ティップ  トゥ  ティップ形式、ネステッド形成の積層構造に拘わらず、厚み方向に荷重がかかると、非エンボス空間が潰れ、吸油性能が低下する問題がある（図１４〜図２１参照）。【００１１】
なお、このような非エンボス空間を減らすことにより、厚み方向の強度を高めることはできるが、非エンボス空間の空間体積の減少により油分等の拡散性が低下する。また、各シートにおける非エンボス部の面積が減少するためデザイン性が低下する。さらに、各シートに挟まれた空間に非エンボス空間が交差する空間が存在する場合、この交差部に油分等が滞留し、油分等の拡散が阻害されるため、吸収性能がさらに低下する。【００１２】
本発明の目的は、吸収性、デザイン性を維持しながら、荷重時の吸収性能に優れる衛生薄葉紙を提供することにある。
【課題を解決するための手段】
【００１３】
上記課題を解決するため、一つの形態によれば、エンボス凸部と該エンボス凸部に対応するエンボス凹部とが表裏に複数形成された第１のシートと、エンボス凸部と該エンボス凸部に対応するエンボス凹部とが表裏に複数形成された第２のシートとを有し、前記第１のシートと前記第２のシートとが、エンボス凸部の形成面をネステッド形式で対面させて一体化した衛生薄葉紙であって、前記第１のシート及び前記第２のシートは、複数のエンボス凸部と複数の非エンボス凸部とが形成されたエンボス部を有し、前記第１のシート及び前記第２のシートの少なくともいずれかが、複数のエンボス凸部と複数の非エンボス凸部とが形成されない非エンボス部を有し、前記非エンボス部が、交差部を持たない形状を有する、衛生薄葉紙が提供される。
【発明の効果】
【００１４】
本発明の一態様によれば、吸収性、デザイン性を維持しながら、荷重時の吸収性能に優れる衛生薄葉紙を提供することができる。
【図面の簡単な説明】
【００１５】
【図１】本発明の実施形態（第１実施形態）に係るキッチンペーパーを示す図である。
【図２】（Ａ）及び（Ｂ）は、図１のキッチンペーパーを構成するクレープ紙を示す図である。
【図３】（Ａ）は図２（Ａ）の３Ａ線で囲まれた部分の拡大図であり、（Ｂ）は図２（Ｂ）の３Ｂ線で囲まれた部分の拡大図であり、（Ｃ）は図１の３Ｃ線で囲まれた部分の拡大図である。
【図４】（Ａ）は図３（Ａ）の４Ａ−４Ａ線断面図であり、（Ｂ）は図３（Ｂ）の４Ｂ−４Ｂ線断面図であり、（Ｃ）は図３（Ｃ）の４Ｃ−４Ｃ線断面図である。
【図５】本実施形態（第２実施形態）に係るキッチンペーパーを示す図である。
【図６】（Ａ）及び（Ｂ）は、図５のキッチンペーパーを構成するクレープ紙を示す図である。
【図７】本実施形態（第３実施形態）に係るキッチンペーパーを示す図である。
【図８】（Ａ）及び（Ｂ）は、図７のキッチンペーパーを構成するクレープ紙を示す図である。
【図９】（Ａ）は図８（Ａ）の９Ａ線で囲まれた部分の拡大図であり、（Ｂ）は図８（Ｂ）の９Ｂ線で囲まれた部分の拡大図であり、（Ｃ）は図７の９Ｃ線で囲まれた部分の拡大図である。
【図１０】（Ａ）は図９（Ａ）の１０Ａ−１０Ａ線断面図であり、（Ｂ）は図９（Ｂ）の１０Ｂ−１０Ｂ線断面図であり、（Ｃ）は図９（Ｃ）の１０Ｃ−１０Ｃ線断面図である。
【図１１】本実施形態（第４実施形態）に係るキッチンペーパーを示す図である。
【図１２】（Ａ）及び（Ｂ）は、図１１のキッチンペーパーを構成するクレープ紙を示す図である。
【図１３】吸油試験の測定方法を説明する図である。
【図１４】比較例１に係るキッチンペーパーを示す図である。
【図１５】（Ａ）及び（Ｂ）は、図１４のキッチンペーパーを構成するクレープ紙を示す図である。
【図１６】（Ａ）は図１４の１６Ａ線で囲まれた部分の拡大図であり、（Ｂ）は図１４の１６Ｂ線で囲まれた部分の拡大図である。
【図１７】（Ａ）は図１６（Ａ）の１７Ａ−１７Ａ線断面図であり、（Ｂ）は図１６の１７Ｂ−１７Ｂ線断面図である。
【図１８】比較例２に係るキッチンペーパーを示す図である。
【図１９】（Ａ）及び（Ｂ）は、図１８のキッチンペーパーを構成するクレープ紙を示す図である。
【図２０】（Ａ）は図１８の２０Ａ線で囲まれた部分の拡大図であり、（Ｂ）は図１８の２０Ｂ線で囲まれた部分の拡大図である。
【図２１】（Ａ）は図２０（Ａ）の２１Ａ−２１Ａ線断面図であり、（Ｂ）は図２０の２１Ｂ−２１Ｂ線断面図である。
【発明を実施するための形態】
【００１６】
本発明の第１の態様は、エンボス凸部と該エンボス凸部に対応するエンボス凹部とが表裏に複数形成された第１のシートと、エンボス凸部と該エンボス凸部に対応するエンボス凹部とが表裏に複数形成された第２のシートとを有し、前記第１のシートと前記第２のシートとが、エンボス凸部の形成面をネステッド形式で対面させて一体化した衛生薄葉紙であって、前記第１のシート及び前記第２のシートは、複数のエンボス凸部と複数の非エンボス凸部とが形成されたエンボス部を有し、前記第１のシート及び前記第２のシートの少なくともいずれかが、複数のエンボス凸部と複数の非エンボス凸部とが形成されない非エンボス部を有し、前記非エンボス部が、交差部を持たない形状を有する、衛生薄葉紙である。
【００１７】
本明細書において、衛生薄葉紙は、特に限定されず、キッチンペーパー、ティッシュペーパー、ドライタイプや水、薬液を含浸させたウェットタイプの衛生薄葉紙も含まれる。また、衛生薄葉紙の用途は、家庭用、業務用のいずれも対象となり得る。
【００１８】
第１のシートは、衛生薄葉紙に用いられる公知のクレープ紙を用いることができる。エンボス凸部は、エンボス加工により第１のシートに形成される凸部である。エンボス凹部は、第１のシートにエンボス凸部と表裏一体に形成される凹部である。非エンボス凸部は、第１のシートにおいて、複数のエンボス凸部に囲まれた凸部が形成されない部分を示す。
【００１９】
第２のシートは、衛生薄葉紙に用いられる公知のクレープ紙を用いることができ、第１のシートと同じ材質にしてもよい。エンボス凸部は、エンボス加工により第２のシートに形成される凸部である。エンボス凹部は、第２のシートにエンボス凸部と表裏一体に形成される凹部である。非エンボス凸部は、第２のシートにおいて、複数のエンボス凸部に囲まれた凸部が形成されない部分を示す。
【００２０】
本明細書において、第１のシートと第２のシートとをエンボス凸部の形成面をネステッド形式で対面させるとは、第１のシートのエンボス凸部の頂部が第２のシートのエンボス凸部でない部分（第１のシートから視て、エンボス凸部に囲まれた凸となっていない部分または非エンボス凸部）に対面させ、且つ、第２のシートのエンボス凸部の頂部が第１のシートのエンボス凸部でない部分（第２のシートから視て、エンボス凸部に囲まれて凸となっていない部分または非エンボス凸部）に対面させることである。また、エンボス凸部の頂部は、対面する非エンボス凸部に接着させてもよい。
【００２１】
第１のシート及び第２のシートは、エンボス部を有する。エンボス部には、複数のエンボス凸部と複数の非エンボス凸部が形成されている。すなわち、第１のシート及び第２のシートの両者が、非エンボス部（複数のエンボス凸部と複数の非エンボス凸部が形成されている部分）を有する。
【００２２】
また、第１のシート及び第２のシートの少なくともいずれかは、非エンボス部を有する。非エンボス部には、複数のエンボス凸部と複数の非エンボス凸部のいずれも形成されていない。すなわち、第１のシートのみが非エンボス部（複数のエンボス凸部と複数の非エンボス凸部のいずれも形成されていない）を有する場合、また第２のシートのみが非エンボス部を有する場合、さらに第１のシート及び第２のシートのいずれもが非エンボス部を有する場合がある。
【００２３】
第１の態様では、非エンボス部が、交差部を持たない形状を有する。本明細書において、非エンボス部が交差部を持たない形状とは、第１のシート及び／または第２のシートにおいて非エンボス部内に交差する部分がない、または非エンボス部同士が交差しないことを意味する。
【００２４】
第１の態様では、第１のシート及び／または第２のシートに形成された非エンボス部は衛生薄葉紙内で油分等が通過し易い部分となるため、このように非エンボス部が存在する衛生薄葉紙では、油分等の拡散性を発揮することができ、油分等の裏抜けを抑制することができる。一方、非エンボス部に交差部が存在すると、衛生薄葉紙内で非エンボス部の交差部に油分等が滞留し易い。また、このような交差部を有する非エンボス部同士が対向して形成された非エンボス空間（以下、非エンボス空間という）には、非エンボス空間が交差する空間（衛生薄葉紙内で２つの非エンボス空間が交わる部分）が生じ、この交差する空間は、油分等が滞留し易い上に、使用時の荷重に対して潰れ易い。
【００２５】
これに対して、第１の態様では、非エンボス部にこのような交差部が存在しないため、衛生薄葉紙内に油分等が滞留する可能性のある部分が形成されない。また、衛生薄葉紙内に非エンボス空間が存在する場合でも、各シートの非エンボス部自体が交差部を有しないため、非エンボス空間が交差する空間が形成されることはない。そのため、第１の態様によれば、油分等の拡散性を向上させることができ、しかも油分等の裏抜けを低減することができる。
【００２６】
また、第１のシート及び／または第２のシートに形成された非エンボス部は、衛生薄葉紙においてデザイン性を発揮し得る部分となる。そのため、第１の態様では、このようなデザイン性を有する非エンボス部が形成された第１のシート及び／または第２のシートに形成された非エンボス部が、衛生薄葉紙に配置されるため、デザイン性を維持することができる。
【００２７】
また、第１の態様では、第１のシートと第２のシートとがネステッド形式で積層された構造を採用するため、衛生薄葉紙の使用対象との接触面積を小さくすることができ、使用時に荷重がかかっても衛生薄葉紙内の空間が潰れ難い。その上、非エンボス部が、交差部を持たない形状を有するため、油分等の拡散性を向上させ、しかも油分等の裏抜けを低減しながら、坪量や紙厚を小さくすることができる。そのため、第１の態様によれば、衛生薄葉紙に求められる吸収性能を維持または向上しながら、衛生薄葉紙の厚みを薄くすることができる。
【００２８】
本発明の第２の態様は、さらに、前記非エンボス部同士が対向して形成される空間がない、衛生薄葉紙である。ここで、非エンボス部同士が対向して形成される空間は、衛生薄葉紙内で第１のシートの非エンボス部と第２のシートの非エンボス部との間に形成される空間（非エンボス空間）である。
【００２９】
このような構成では、第１のシートと第２のシートとの間で、非エンボス部同士が対面することがない。そのため、第１のシートと第２のシートとの間に非エンボス空間（非エンボス部同士が対面することにより形成され、厚み方向の荷重に対して潰れやすい空間）が形成されることはない。これにより、第２の態様によれば、荷重に対する厚み方向の強度を高くすることができるため、荷重時の吸収性能を向上させる（例えば、油分等の裏抜けを低減する）ことができる。
【００３０】
また、第１のシートに配置された非エンボス部と第２のシートに配置された非エンボス部とが対面しない構造では、非エンボス部が衛生薄葉紙内に分散して配置されることになるため、非エンボス部を介して油分等が拡散し易くなる。そのため、第２の態様によれば、非エンボス空間が存在しなくても、吸収した油分等の拡散性を維持することができる。
【００３１】
また、第２の態様では、第１のシートと第２のシートとの間に非エンボス空間が存在せず、非エンボス空間が交差する空間も当然に存在しない。そのため、第２の態様によれば、衛生薄葉紙内に油分等が滞留し難くなる部分が形成されない観点からも、油分等の拡散性が向上し、油分等の裏抜けを低減することができる。
【００３２】
また、衛生薄葉紙では、非エンボス空間がデザイン性を発揮する部分となるため、非エンボス空間が存在しないとデザイン性が低下する傾向がある。しかし、第２の態様では、非エンボス部が衛生薄葉紙内に分散して配置されるため、非エンボス空間が存在しなくても、デザイン性を維持することができる。
【００３３】
本発明の第３の態様は、さらに、前記第１のシートが、前記非エンボス部を有し、前記第２のシートが、前記非エンボス部を有さない、衛生薄葉紙である。すなわち、第１のシートは、エンボス部と非エンボス部の両者を有する。また、第２のシートは、エンボス部を有し、非エンボス部を有さない。すなわち、第２のシートには、複数のエンボス凸部と複数の非エンボス凸部のみが形成されている。
【００３４】
第３の態様では、エンボス部と非エンボス部を有する第１のシートが、エンボス部を有しかつ非エンボス部を有さない第２のシートと対面するように、一対のシートが構成される。このような構成では、第１のシートと第２のシートとの間で、非エンボス部同士が対面することがないため、衛生薄葉紙内に非エンボス空間（非エンボス部同士が対面することにより形成され、厚み方向の荷重に対して潰れやすい空間）が形成されることはない。そのため、第３の態様によれば、衛生薄葉紙の荷重に対する厚み方向の強度を高くすることができ、しかも荷重時の吸収性能を向上させる（例えば、油分等の裏抜けを低減する）ことができる。
【００３５】
また、このような第１のシートと第２のシートとの間で非エンボス部同士が対面しない構造でも、衛生薄葉紙内に非エンボス部が配置されるため、この非エンボス部を介して衛生薄葉紙内で油分等を拡散することできる。そのため、第３の態様によれば、非エンボス空間が存在しなくても、吸収した油分等の拡散性を維持することができる。
【００３６】
また、このような一対のシート間に非エンボス空間が存在しない構造では、非エンボス空間が交差する空間（油分等が滞留し易い部分）も当然に存在しない。そのため、第３の態様では、油分等の拡散性を向上させ、油分等の裏抜けを低減することができる。
【００３７】
また、衛生薄葉紙では、非エンボス空間がデザイン性を発揮する部分となるため、非エンボス空間が存在しないとデザイン性が低下する傾向がある。しかし、第３の態様では、第１のシートのみに形成された非エンボス部が衛生薄葉紙内に配置されるため、非エンボス空間が存在しなくても、デザイン性を維持することができる。
【００３８】
本発明の第４の態様は、さらに、前記第１のシート及び前記第２のシートが、それぞれ２つ以上のシート領域を有し、前記第１のシートの該シート領域の少なくとも１つのシート領域には、前記非エンボス部を有する非エンボス領域が形成され、前記第２のシートの該シート領域には、前記非エンボス部を有さないエンボス領域のみが形成されている、衛生薄葉紙である。
【００３９】
本明細書において、シート領域とは、各シートを任意の寸法に区切ったときに、シート上の区切られた範囲を意味する。また、エンボス領域とは、シート領域のうち非エンボス部を有さないシート領域（エンボス部のみを有するシート領域）であり、非エンボス領域とは、シート領域のうち非エンボス部を有するシート領域（エンボス部と非エンボス部を有するシート領域）である。さらに、少なくとも１つのシート領域に非エンボス領域が形成されるとは、２つ以上のシート領域のうち一部のシート領域に非エンボス領域が形成され、他の一部のシート領域にエンボス領域が形成されている場合と、２つ以上のシート領域の全てのシート領域に非エンボス領域が形成されている場合とを含む。
【００４０】
第４の態様では、このように区切られたシート領域のうち第１のシートの少なくとも１つのシート領域に形成された非エンボス領域は、第２のシートに形成されたエンボス部のみと対面することになる。すなわち、第１のシートと第２のシートとの間の各領域で、非エンボス部同士が重ならないように配置されている（すなわち、非エンボス空間が形成されることはない）。
【００４１】
そのため、第４の態様では、第１のシートに形成される非エンボス領域の面積を増やしても、非エンボス空間は存在しないため、荷重に対する厚み方向の強度を維持することができ、荷重時の吸収性能を向上させることができる。また、非エンボス空間が存在しなくても、第１のシートに形成される非エンボス領域の存在により、油分等の分散性の低下を抑制することができ、しかもデザイン性を維持することができる。
【００４２】
本発明の第５の態様は、さらに、非エンボス部が複数のパターンで形成されている、衛生薄葉紙である。ここで、非エンボス部のパターンは、対面するエンボス部が形成された第２のシートから視た、第１のシートに形成された非エンボス部の輪郭形状である。第５の態様では、非エンボス部のパターンを複数にすることにより、衛生薄葉紙のデザイン性を高めることができる。また、第１のシートに形成される非エンボス領域が増えるため、油分等の分散性を高めることができる。
【００４３】
本発明の第６の態様は、さらに、前記複数のパターンのうち隣り合う２つのパターンが３６０°／ｎ回転対称（ｎは１以上の整数）である、衛生薄葉紙である。ここで、３６０°／ｎ回転対称とは、仮想の軸を中心にパターンを３６０°／ｎ回転させたときに、回転後のパターンが回転前のパターンに重なり合うことを意味する。
【００４４】
第６の態様において、非エンボス部のパターンは、シート上に形成された非エンボス部の輪郭形状である。なお、パターンの形状は、特に限定されるものではなく、円形、三角形、四角形、多角形、十字形、ハート形等のあらゆる形状を採用することができる。また、パターンを構成する図形の個数は、１個に限られず、複数の図形で構成してもよく、また複数の図形は異なる形状でもよい。
【００４５】
このような回転対称の位置関係になるように隣り合う２つのパターンを第１のシートに形成することにより、第１のシート上に非エンボス部を規則的に配置することができる。すなわち、非エンボス部のパターンが衛生薄葉紙全体で幾何学模様を呈することができる。そのため、第６の態様によれば、非エンボス空間が存在しなくても、油分等の分散性の低下を抑制することができ、しかもデザイン性を維持することができる。
【００４６】
本発明の第７の態様は、さらに、複数のパターンのうち隣り合う２つのパターンが点対称である、衛生薄葉紙である。本明細書において、点対称とは、パターンを１８０°回転させたときに、回転後のパターンが回転前のパターンに重なり合うことを意味する。
【００４７】
このような点対称の位置関係になるように隣り合う２つのパターンを第１のシートに形成することによっても、第１のシート上に非エンボス部を規則的に配置することができる（非エンボス部のパターンが衛生薄葉紙全体で幾何学模様を呈することができる）。そのため、第７の態様によれば、油分等の分散性の低下を抑制することができ、しかもデザイン性を維持することができる。
【００４８】
本発明の第８の態様は、さらに、非エンボス部の面積率が３〜１６％である、衛生薄葉紙である。本明細書において、非エンボス部の面積率とは、第１のシート（衛生薄葉紙）の表面に占める非エンボス部の面積の割合である。非エンボス部の面積率が３％未満では、十分な油分等の分散性が得られない可能性がある。また、非エンボス部の面積率が１３％を超える場合は、エンボス凸部の数が少ないため、荷重時の厚み方向に対する十分な強度が得られない可能性がある。なお、第１のシートに形成された非エンボス部の面積率は、好ましくは５〜１３％であり、より好ましくは６〜１１％である。
【００４９】
本発明の第９の態様は、さらに、前記第１のシートが、複数のエンボス凸部と複数の非エンボス凸部とが形成された第１のエンボス部と、複数のエンボス凸部と複数の非エンボス凸部とが形成されない第１の非エンボス部とを有し、前記第２のシートは、複数のエンボス凸部と複数の非エンボス凸部とが形成された第２のエンボス部と、複数のエンボス凸部と複数の非エンボス凸部とが形成されない第２の非エンボス部とを有し、前記第１の非エンボス部は、前記第２のエンボス部と対面し、前記第２の非エンボス部は、前記第１のエンボス部と対面する、衛生薄葉紙である。
【００５０】
第１のシートは、第１のエンボス部と第１の非エンボス部を有する。第１のエンボス部には、複数のエンボス凸部と複数の非エンボス凸部が形成されている。一方、第１の非エンボス部には、複数のエンボス凸部と複数の非エンボス凸部のいずれも形成されていない。
【００５１】
また、第２のシートは、第２のエンボス部と第２の非エンボス部を有する。第２のエンボス部には、複数のエンボス凸部と複数の非エンボス凸部が形成されている。一方、第２の非エンボス部には、複数のエンボス凸部と複数の非エンボス凸部のいずれも形成されていない。
【００５２】
第９の態様では、第１の非エンボス部が第２のエンボス部と対面し、第２の非エンボス部が第１のエンボス部と対面するように、第１のシートに第１のエンボス部と第１の非エンボス部が形成され、第２のシートに第２のエンボス部と第２の非エンボス部が形成されている。
【００５３】
このような構成では、第１のシートと第２のシートとの間で、非エンボス部同士が対面することがないため、第１のシートと第２のシートとの間に非エンボス空間（非エンボス部同士が対面することにより形成され、厚み方向の荷重に対して潰れやすい空間）が形成されることはない。そのため、第９の態様では、荷重に対する厚み方向の強度を高くすることができ、荷重時の吸収性能を向上させる（例えば、油分等の裏抜けを低減する）ことができる。
【００５４】
また、第１のシートに配置された非エンボス部と第２のシートに配置された非エンボス部とが対面しない構造では、非エンボス部が衛生薄葉紙内に分散して配置されることになるため、非エンボス部を介して油分等が拡散し易くなる。そのため、第９の態様によれば、非エンボス空間が存在しなくても、吸収した油分等の拡散性を維持することができる。
【００５５】
また、第９の態様では、第１のシートと第２のシートとの間に非エンボス空間が存在しないため、油分等の拡散性を向上させ、油分等の裏抜けを低減することができる。
【００５６】
また、第９の態様では、非エンボス部が衛生薄葉紙内に分散して配置されるため、非エンボス空間が存在しなくても、デザイン性を維持することができる。
【００５７】
本発明の第１０の態様は、さらに、前記第１のシート及び前記第２のシートが、それぞれ２つ以上のシート領域を有し、前記第１のシートの該シート領域は、前記第１の非エンボス部を有さない第１のエンボス領域と前記第１の非エンボス部を有する第１の非エンボス領域とが形成され、前記第２のシートの該シート領域は、前記第２の非エンボス部を有さない第２のエンボス領域と前記第２の非エンボス部を有する第２の非エンボス領域とが形成され、前記第１の非エンボス領域と前記第２の非エンボス領域とが重ならないように配置されている、衛生薄葉紙である。
【００５８】
本明細書において、シート領域とは、各シートを任意の寸法に区切ったときに、シート上の区切られた範囲を意味する。また、エンボス領域とは、シート領域のうち非エンボス部を有さないシート領域（エンボス部のみを有するシート領域）であり、非エンボス領域とは、シート領域のうち非エンボス部を有するシート領域（エンボス部と非エンボス部を有するシート領域）である。
【００５９】
第１０の態様では、このように区切られたシート領域のうち第１のシートに配置された第１の非エンボス領域を有する領域と第２の非エンボス部を有する領域とが重ならないように配置されている。すなわち、複数の領域に非エンボス部が存在する場合でも、第１のシートと第２のシート間で非エンボス部同士が対面することがない（非エンボス空間が形成されることはない）。
【００６０】
そのため、各シートに形成される非エンボス部の面積を増やすことにより、荷重に対する厚み方向の強度を維持することができるため、荷重時の吸収性能を向上させることができる。これにより、第１０の態様では、非エンボス空間が存在しなくても、油分等の分散性の低下を抑制することができ、しかもデザイン性を維持することができる。
【００６１】
本発明の第１１の態様は、さらに、前記第２のエンボス部に対面する前記第１の非エンボス部のパターンと前記第１のエンボス部に対面する前記第２の非エンボス部のパターンとが、９０°×ｎ回転対称（ｎは奇数）である、衛生薄葉紙である。
【００６２】
本明細書において、非エンボス部のパターンは、対面するエンボス部が形成された一方のシートから視た他方のシートに形成された非エンボス部の輪郭形状である。また、９０°×ｎ回転対称とは、仮想の軸を中心にパターンを９０°×ｎ回転させたときに、回転後のパターンが回転前のパターンに重なり合うことを意味する。
【００６３】
なお、パターンの形状は、特に限定されるものではなく、円形、三角形、四角形、多角形、十字形、ハート形等のあらゆる形状を採用することができる。また、パターンを構成する図形の個数も１個に限られず、複数の図形で構成してもよく、また複数の図形は異なる形状でもよい。
【００６４】
このような回転対称の位置関係になるパターンを有する非エンボス部を第１のシート及び第２のシートにそれぞれ形成することにより、第１のシートと第２のシートとの間に非エンボス部を規則的に配置することができる（非エンボスパターンが衛生薄葉紙全体で幾何学模様を呈することができる）。そのため、第１１の態様によれば、非エンボス空間が存在しなくても、油分等の分散性の低下をさらに抑制することができ、しかもデザイン性を維持することができる。
【００６５】
本発明の第１２の態様は、さらに、前記第２のエンボス部に対面する前記第１の非エンボス部のパターンと前記第１のエンボス部に対面する前記第２の非エンボス部のパターンとが、線対称である、衛生薄葉紙である。本明細書において、線対称とは、仮想の直線を軸としてパターンを反転させたときに、反転後のパターンが反転前のパターンに重なり合うことを意味する。
【００６６】
このような線対称の位置関係になるパターンを有する非エンボス部を第１のシート及び第２のシートにそれぞれ形成することによっても、第１のシートと第２のシートとの間に非エンボス部を規則的に配置することができる。そのため、第１２の態様によれば、油分等の分散性の低下をさらに抑制することができ、しかもデザイン性を維持することができる。
【００６７】
本発明の第１３の態様は、さらに、前記第１の非エンボス部および前記第２の非エンボス部の面積率が、３〜１６％である、衛生薄葉紙である。本明細書において、非エンボス部の面積率とは、非エンボス部が形成されるシート表面に占める非エンボス部の面積の割合である。非エンボス部の面積率が３％未満では、十分な油分等の分散性が得られない可能性がある。また、非エンボス部の面積率が１３％を超える場合は、エンボス凸部の数が少ないため、荷重時の厚み方向に対する十分な強度が得られない可能性がある。なお、各シートに形成された非エンボス部の面積率は、好ましくは５〜１３％であり、より好ましくは６〜１１％である。
【００６８】
以下、本発明の実施の形態について、図面を参照しながら詳細に説明する。なお、本明細書では、理解を容易にするため、各図における各部材の縮尺は実際とは異なる場合がある。また、各図面において共通する部分ついては、同一の符号を付して説明を省略する場合がある。
【００６９】
図１は、本発明の実施形態（第１実施形態）に係るキッチンペーパーを示し、図２（Ａ）及び（Ｂ）は、図１のキッチンペーパーを構成するクレープ紙を示す。
【００７０】
図１及び図２に示すように、キッチンペーパー１００は、クレープ紙１０とクレープ紙２０とを有する。キッチンペーパー１００の態様は、特に限定されるものではなく、例えば、分断用のミシン目線を適宜の間隔で配置したされた帯状のキッチンペーパーを紙管に巻き付けたロールタイプ、または、ピックアップ式、ポップアップ式等と称される、枚葉のキッチンペーパーが折畳み積層された積層タイプを用いることができる。なお、キッチンペーパー１００は、本発明の衛生薄葉紙の一例であり、クレープ紙１０、２０は、本発明の衛生薄葉紙を構成する第１及び第２のシートの一例である。
【００７１】
クレープ紙１０には、原紙の原料がパルプを主材とする紙が用いられる。パルプ組成は、キッチンペーパーにおける公知の組成を用いることができる。例えば、パルプの配合割合を５０質量％以上、好ましくは９０質量％以上、より好ましくは１００質量％とすることができる。また、クレープ紙２０にも、クレープ紙１０と同様の紙を用いることができる。
【００７２】
パルプ組成は、例えば、ＮＢＫＰ（針葉樹クラフトパルプ）やＮＵＫＰ（針葉樹未晒しパルプ）などの針葉樹パルプと、ＬＢＫＰ（広葉樹クラフトパルプ）やＬＵＫＰ（広葉樹未晒しパルプ）などの広葉樹パルプとを適宜の比率で使用することができる。特に、針葉樹パルプが広葉樹パルプと比較してより多い組成のパルプ組成であることが好ましい。なお、針葉樹パルプと広葉樹パルプの比は、５０：５０〜８０：２０であるのが好ましい。
【００７３】
また、クレープ紙１０、２０には、ＪＩＳ  Ｐ  ８１２４（１９９８）を基準とする坪量が、１５〜３０ｇ／ｍ２の紙が用いられている。クレープ紙１０、２０の坪量をこの範囲に調整すると、紙面に水や油などの液体が触れた際に、十分な液拡散性が得られ、特に高い吸水性能が得られる。またこの範囲内の坪量では、キッチンペーパーとして使用時の柔軟性、追従性が得られる。
【００７４】
ここで、本実施形態（第１実施形態）に係るキッチンペーパーについて、さらに詳しく説明する。図３（Ａ）は、図２（Ａ）の３Ａ線で囲まれた部分の拡大図であり、図３（Ｂ）は、図２（Ｂ）の３Ｂ線で囲まれた部分の拡大図であり、図３（Ｃ）は、図１の３Ｃ線で囲まれた部分の拡大図である。また、図４（Ａ）は、図３（Ａ）の４Ａ−４Ａ線断面図であり、図４（Ｂ）は、図３（Ｂ）の４Ｂ−４Ｂ線断面図であり、図４（Ｃ）は、図３（Ｃ）の４Ｃ−４Ｃ線断面図である。
【００７５】
クレープ紙１０には、エンボス凸部ＥＣ１とエンボス凸部ＥＣ１に対応するエンボス凹部ＥＤ１とがクレープ紙１０の表裏に複数形成されている（図３参照）。各エンボス凸部ＥＣ１の頂部（またはエンボス凹部ＥＤ１の開口部）は、平面視で四角形状を有する（図３参照）。また、エンボス凸部ＥＣ１（またはエンボス凹部ＥＤ１）の側面は、エンボス凹部ＥＤ１の底部から開口部に向かって図示しないテーパで形成されている。
【００７６】
エンボス凸部ＥＣ１は、公知のスチールラバー式のエンボス付与方法により、図示しない凸エンボスロールをクレープ紙１０に押し付けることにより、クレープ紙１０の一方の面上に形成される。一方、エンボス凹部ＥＤ１は、エンボス凸部ＥＣ１に対応するエンボス凹部としてクレープ紙１０の他方の面上に形成される（図３、図４参照）。
【００７７】
クレープ紙１０は、エンボス部３０と非エンボス部５０とを有する。エンボス部３０には、複数のエンボス凸部ＥＣ１と複数の非エンボス凸部ＮＥ１が形成されている。一方、非エンボス部５０には、複数のエンボス凸部ＥＣ１と複数の非エンボス凸部ＮＥ１は、いずれも形成されていない（図２〜図４参照）。
【００７８】
ここで、非エンボス凸部ＮＥ１は、複数のエンボス凸部ＥＣ１に囲まれた凸部が形成されない部分を示す（図３、図４参照）。なお、エンボス部３０および非エンボス部５０は、本発明の衛生薄葉紙を構成する第１のシートに形成されるエンボス部および非エンボス部の一例である。
【００７９】
クレープ紙２０には、エンボス凸部ＥＣ２とエンボス凸部ＥＣ２に対応するエンボス凹部ＥＤ２とがクレープ紙２０の表裏に複数形成されている（図３参照）。各エンボス凸部ＥＣ２の頂部（またはエンボス凹部ＥＤ２の開口部）は、平面視で四角形状を有する（図３参照）。また、エンボス凸部ＥＣ２（またはエンボス凹部ＥＤ２）の側面は、エンボス凹部ＥＤ２の底部から開口部に向かって図示しないテーパで形成されている。
【００８０】
エンボス凸部ＥＣ２は、クレープ紙１０と同様に、図示しない凸エンボスロールをクレープ紙２０に押し付けることにより、クレープ紙２０の一方の面上に形成される。一方、エンボス凹部ＥＤ２は、エンボス凸部ＥＣ２に対応するエンボス凹部としてクレープ紙２０の他方の面上に形成される（図３、図４参照）。
【００８１】
クレープ紙２０は、エンボス部４０を有し、非エンボス部を有さない。エンボス部４０には、複数のエンボス凸部ＥＣ２と複数の非エンボス凸部ＮＥ２が形成されている。すなわち、クレープ紙２０には、複数のエンボス凸部ＥＣ２と複数の非エンボス凸部ＮＥ２のみが形成されている（図２〜図４参照）。
【００８２】
ここで、非エンボス凸部ＮＥ２は、複数のエンボス凸部ＥＣ２に囲まれた凸部が形成されない部分を示す（図３、図４参照）。なお、エンボス部４０は、本発明の衛生薄葉紙を構成する第２のシートに形成されるエンボス部および非エンボス部の一例である。
【００８３】
第１実施形態のキッチンペーパー１００では、クレープ紙１０とクレープ紙２０とが重ねられて、エンボス凸部ＥＣ１、ＥＣ２の形成面をネステッド形式で対面させて一体化されている。具体的には、クレープ紙１０のエンボス凸部ＥＣ１は、クレープ紙２０の非エンボス凸部ＮＥ２（エンボス凸部ＥＣ２が設けられていない部分）に対向して配置されている。一方、クレープ紙２０のエンボス凸部ＥＣ２は、クレープ紙１０の非エンボス凸部ＮＥ１（エンボス凸部ＥＣ１が設けられていない部分）に対向して配置されている（図１〜図４参照）。
【００８４】
また、クレープ紙１０のエンボス凸部ＥＣ１の頂部は、クレープ紙２０の非エンボス凸部ＮＥ２に対して、図示しない接着剤により接着されている（図４参照）。クレープ紙１０のエンボス凸部ＥＣ１の頂部とクレープ紙２０の非エンボス凸部ＮＥ２とを接着させることにより、２枚のクレープ紙１０、２０の接着部分を一方のクレープ紙（クレープ紙１０）側にバランスよく配置することができる。そのため、接着剤による吸収性能の低下を少なくすることができる。
【００８５】
なお、接着剤には、積層構造を有するキッチンペーパーに採用される公知の接着剤を用いることができる。このような接着剤としては、例えば、ポリビニルアルコール、デンプン、変性デンプン、カルボキシメチルセルロース等のセルロース系接着剤等が挙げられる。
【００８６】
なお、クレープ紙１０のエンボス凸部ＥＣ１の頂部とクレープ紙２０の非エンボス凸部ＮＥ２とを接着する代わりに、クレープ紙２０のエンボス凸部ＥＣ２の頂部とクレープ紙１０の非エンボス凸部ＮＥ１とを接着してもよい。また、クレープ紙１０のエンボス凸部ＥＣ１の頂部をクレープ紙２０の非エンボス凸部ＮＥ２に接着し、かつクレープ紙２０のエンボス凸部ＥＣ２の頂部をクレープ紙１０の非エンボス凸部ＮＥ１に接着してもよい。
【００８７】
第１実施形態では、図１及び図２に示すように、クレープ紙１０の非エンボス部５０は、交差部を持たない形状を有する。すなわち、クレープ紙１０の非エンボス部５０内に非エンボス部同士が交差する部分がない。例えば、図１及び図２に示す第１実施形態では、クレープ紙１０の非エンボス部５０の交差部となり得る部分には、エンボス凸部ＮＣ１が形成されている。
【００８８】
このような交差部を持たない構造にすることで、第１実施形態では、非エンボス部５０内に油分等が滞留する可能性のある交差部が存在しないため、油分等の拡散性を向上させ、油分等の裏抜けを低減することができる。なお、クレープ紙１０の非エンボス部５０が有する交差部を持たない形状は、本発明における非エンボス部が有する交差部を持たない形状の一例である。
【００８９】
また、第１実施形態では、図１〜図４に示すように、クレープ紙１０のエンボス部３０と非エンボス部５０は、クレープ紙２０のエンボス部４０と対面するように、クレープ紙１０にエンボス部３０と非エンボス部５０が形成され、クレープ紙２０にエンボス部４０のみが形成されている。
【００９０】
このような構成を採用することにより、第１実施形態では、クレープ紙１０とクレープ紙２０との間で、非エンボス部同士が対面しないため、クレープ紙１０とクレープ紙２０との間に潰れ易い非エンボス空間が形成されることはない。そのため、第１実施形態によれば、キッチンペーパー１００の荷重に対する厚み方向の強度を高くすることができるため、荷重時の吸収性能を向上させる（例えば、キッチンペーパー１００の油分等の裏抜けを低減する）ことができる（図１〜図４参照）。
【００９１】
また、クレープ紙１０とクレープ紙２０との間で非エンボス部同士が対面しない構造であっても、非エンボス部５０がキッチンペーパー１００内に配置されるため、キッチンペーパー１００内で非エンボス部５０を介して油分等が拡散し易くなる（図１〜図４参照）。そのため、第１実施形態によれば、非エンボス空間を形成しなくても、吸収した油分等の拡散性を維持することができる。
【００９２】
また、図１に示すように、第１実施形態では、クレープ紙１０とクレープ紙２０との間で非エンボス部同士が対面しない構造では、クレープ紙１０とクレープ紙２０との間に非エンボス空間が形成されない（図４参照）。そのため、図１に示す第１実施形態では、非エンボス空間が交差する空間（油分等が滞留し易い部分）も当然に存在しない（図１参照）。そのため、第１実施形態によれば、非エンボス空間が交差する空間に油分等が滞留するのを防ぐ観点からも、油分等の拡散性を向上させ、油分等の裏抜けを低減することができる。
【００９３】
なお、図１に示すような、クレープ紙１０とクレープ紙２０との間で非エンボス部同士が対面しない（非エンボス空間が形成されない）構造は、本発明における非エンボス部同士が対向して形成される空間がない構成の一例である。
【００９４】
また、第１実施形態では、図１に示すように、非エンボス部５０がキッチンペーパー１００内に配置されているため、非エンボス空間を形成しなくても、デザイン性を維持することができる（図１参照）。
【００９５】
また、第１実施形態では、ネステッド形式の積層構造が採用されているため、キッチンペーパー１００の使用対象（例えば、食器、揚げ物等）との接触面積を小さくすることができ、使用時に荷重がかかってもキッチンペーパー１００内の空間が潰れ難い。その上、クレープ紙１０とクレープ紙２０間に非エンボス空間を設けなくても、油分等の拡散性を向上させ、また荷重時の吸収性能を高くすることができる（図１〜図４参照）。そのため、第１実施形態によれば、荷重時の吸収性能を向上させつつ、クレープ紙１０、２０の坪量や紙厚を小さくすることができ、キッチンペーパー１００の厚みを薄くすることができる。
【００９６】
また、第１実施形態では、キッチンペーパー１００が２つ以上の領域を有し、キッチンペーパー１００を構成するクレープ紙１０、２０がそれぞれ、２つ以上の領域（シート領域）を有する。図２（Ａ）に示すように、クレープ紙１０のシート領域（第１のシート領域１１、第２のシート領域１２、第３のシート領域１３、及び第４のシート領域１４）には、非エンボス部５０を有さない領域と非エンボス部５０を有する領域とが形成されている。一方、図２（Ｂ）に示すように、クレープ紙２０のシート領域（第５のシート領域２１、第６のシート領域２２、第７のシート領域２３、及び第８のシート領域２４）には、非エンボス部を有さない領域のみが形成されている。すなわち、非エンボス部５０を有する領域は、非エンボス部を有さない領域と重なるように配置されている。
【００９７】
具体的には、図１に示すように、キッチンペーパー１００は４つの領域に区分けすることができる領域７０を有している。この領域７０は、第１の領域７１〜第４の領域７４に区分けすることができる。領域７０のうち、第１の領域７１、第３の領域７３には、クレープ紙１０のエンボス部３０とクレープ紙２０のエンボス部４０が配置され、第２の領域７２、第４の領域７４には、クレープ紙１０の非エンボス部５０と、クレープ紙２０のエンボス部４０が配置されている。
【００９８】
第１実施形態では、図２（Ａ）に示すように、クレープ紙１０のエンボス部３０を第１のエンボス領域３１〜第４のエンボス領域３４に区分けし、クレープ紙１０の非エンボス部５０を第２の非エンボス領域５２と第４の非エンボス領域５４に区分けする。また、図２（Ｂ）に示すように、クレープ紙２０のエンボス部４０を第１のエンボス領域４１〜第４のエンボス領域４４に区分けする。
【００９９】
そうすると、キッチンペーパー１００の４つの領域のうち、第１の領域７１では、クレープ紙１０の第１のエンボス領域３１とクレープ紙２０の第１のエンボス領域４１が対面する。また、第２の領域７２では、クレープ紙１０の第２の非エンボス領域５２とクレープ紙２０の第２のエンボス領域４２とが対面する。さらに、第３の領域７３では、クレープ紙１０の第３のエンボス領域３３とクレープ紙２０の第３のエンボス領域４３が対面する。そして、第４の領域７４では、クレープ紙１０の第４の非エンボス領域５４とクレープ紙２０の第４のエンボス領域４４とが対面する（図１〜図４参照）。
【０１００】
第１実施形態では、キッチンペーパー１００において、クレープ紙１０の非エンボス部５０が第２、第４の領域７２、７４に配置されるが、クレープ紙２０に非エンボス部は形成されていない。このような構成では、キッチンペーパー１００の４つの領域のうち２つの領域に配置された非エンボス部５０の非エンボス領域５２、５４は、クレープ紙１０とクレープ紙２０間で非エンボス部同士が対面しない。そのため、非エンボス部同士が対面して形成される非エンボス空間（潰れやすい空間）が形成されることはない（図１〜図４参照）。
【０１０１】
これにより、第１実施形態では、クレープ紙１０に形成される非エンボス部５０の非エンボス領域の面積を増やすことができ、荷重に対する厚み方向の強度を向上させることができるので、荷重時の吸収性能を向上させることができる。また、クレープ紙１０に形成される非エンボス部５０の非エンボス領域の面積を増やしても、非エンボス空間は存在しないため、荷重時の吸収性能を高く維持しながら、油分等の分散性の低下を抑制し、デザイン性を維持することができる（図１〜図４参照）。
【０１０２】
第１実施形態では、図１及び図２に示すように、クレープ紙１０の非エンボス部５０が複数のパターンで形成されている。非エンボス部５０のパターンは、対面するエンボス部４０が形成されたクレープ紙２０から視たクレープ紙１０に形成された非エンボス部５０の輪郭形状である。具体的には、クレープ紙１０の非エンボス領域５２に１つのパターンが形成され、クレープ紙１０の非エンボス領域５４にもう一つのパターンが形成されている。
【０１０３】
第１実施形態では、このように非エンボス部５０のパターンを複数にすることにより、衛生薄葉紙のデザイン性を高めることができる。また、第１のシートに形成される非エンボス領域が増えるため、油分等の分散性を高めることができる（図１参照）。
【０１０４】
また、本実施形態では、クレープ紙１０に形成された複数の非エンボス部５０のパターンが、３６０°／ｎ回転対称となっている。ここで、ｎは１以上の整数である。具体的には、図１及び図２に示す第１実施形態では、非エンボス領域５２に形成されたパターンと非エンボス領域５４に形成されたパターンとが、１８０°回転対称になっている。なお、非エンボス部のパターンの形状は、任意である。第１実施形態では、図１及び図２に示すように、パターンの形状は十字形である。
【０１０５】
このような回転対称の位置関係になるパターンを有する非エンボス部５０をクレープ紙１０に形成することにより、クレープ紙１０とクレープ紙２０との間に非エンボス部５０を規則的に配置することができる。すなわち、図１に示すように、非エンボス部５０のパターンは、キッチンペーパー１００の全体で視たときに、幾何学模様を呈することができる。そのため、第１実施形態では、非エンボス空間を設けなくても、油分等の分散性の低下を抑制することができ、しかもデザイン性を維持することができる。
【０１０６】
また、見方を変えると、第１実施形態では、図１に示すように、クレープ紙１０に形成された複数の非エンボス部５０のパターンは、点対称になっている。具体的には、図１及び図２に示すように、非エンボス領域５２に形成されたパターンと非エンボス領域５４に形成されたパターンとが点対称になっている。
【０１０７】
このような点対称の位置関係になるパターンを有する非エンボス部５０をクレープ紙１０に形成することによっても、クレープ紙１０とクレープ紙２０の間に、非エンボス空間を形成することなく、非エンボス部５０を規則的に配置することができる（図１、図２参照）。そのため、図１の第１実施形態によれば、油分等の分散性の低下をさらに抑制することができ、しかもデザイン性を維持することができる。
【０１０８】
また、図１に示すキッチンペーパー１００では、クレープ紙１０の非エンボス部５０の面積率（非エンボス部が形成されるシート表面に占める非エンボス部の面積の割合）は、３〜１６％であり、好ましくは５〜１３％であり、より好ましくは６〜１１％である。非エンボス部５０の面積率が３％未満では、十分な油分等の分散性が得られない可能性がある。また、非エンボス部５０の面積率が１３％を超える場合、エンボス凸部の数が少ないため、荷重時の厚み方向に対する十分な強度が得られない可能性がある。
【０１０９】
また、図５は、本発明の実施形態（第２実施形態）係るキッチンペーパーを示し、図６（Ａ）及び（Ｂ）は、図５のキッチンペーパーを構成するクレープ紙を示す図である。
【０１１０】
図５に示す第２実施形態では、非エンボス部のパターンが複数の独立した長方形のパターンであるため、非エンボス部同士が交差することはない。このような交差部を持たない構造にすることで、図５の第２実施形態でも、非エンボス部５０内に油分等が滞留する可能性のある交差部が存在しないため、油分等の拡散性をさらに向上させ、油分等の裏抜けをより低減することができる。
【０１１１】
また、図５及び図６に示す第２実施形態においても、クレープ紙１０に形成された複数の非エンボス部５０のパターンが、３６０°／ｎ回転対称（ｎは１以上の整数）となっている。具体的には、非エンボス領域５１、５２に形成されたパターンと非エンボス領域５３、５４に形成されたパターンとが、１８０°回転対称になっている。なお、第２実施形態では、図５に示すように、各非エンボス領域５１〜５４では、パターンの形状は長方形である。さらに、図５の第２実施形態では、非エンボス領域５１、５３では４個のパターンが形成され、非エンボス領域５２、５４では、１２個のパターンが形成されている。
【０１１２】
図５及び図６に示す第２実施形態では、このような回転対称の位置関係になるパターンを有する非エンボス部５０をクレープ紙１０に形成することにより、クレープ紙１０とクレープ紙２０との間に非エンボス部５０を規則的に配置することができる。すなわち、図５に示すように、非エンボス部５０のパターンは、キッチンペーパー１００の全体を視たときに、幾何学模様を呈することができる。そのため、図５に示す第２実施形態では、非エンボス空間を設けなくても、油分等の分散性の低下を抑制することができ、しかもデザイン性を維持することができる。
【０１１３】
また、見方を変えると、図５及び図６に示す第２実施形態でも、非エンボス領域５１、５２に形成されたパターンと非エンボス領域５３、５４に形成されたパターンとが点対称になっている。
【０１１４】
このような点対称の位置関係になるパターンを有する非エンボス部５０をクレープ紙１０に形成することによっても、クレープ紙１０とクレープ紙２０の間に、非エンボス空間を形成することなく、非エンボス部５０を規則的に配置することができる。そのため、図５に示す第２実施形態でも、油分等の分散性の低下を抑制することができ、しかもデザイン性を維持することができる。
【０１１５】
図７は、本発明の実施形態（第３実施形態）に係るキッチンペーパーを示し、図８（Ａ）及び（Ｂ）は、図７のキッチンペーパーを構成するクレープ紙を示す。また、図９（Ａ）は図８（Ａ）の９Ａ線で囲まれた部分の拡大図であり、図９（Ｂ）は図８（Ｂ）の９Ｂ線で囲まれた部分の拡大図であり、図９（Ｃ）は図７の９Ｃ線で囲まれた部分の拡大図である。さらに、図１０（Ａ）は図９（Ａ）の１０Ａ−１０Ａ線断面図であり、図１０（Ｂ）は図９（Ｂ）の１０Ｂ−１０Ｂ線断面図であり、図１０（Ｃ）は、図９（Ｃ）の１０Ｃ−１０Ｃ線断面図である。
【０１１６】
図７及び図８に示されるキッチンペーパー１００では、クレープ紙１０は、エンボス部３０と非エンボス部５０とを有する。エンボス部３０には、複数のエンボス凸部ＥＣ１と複数の非エンボス凸部ＮＥ１が形成されている。一方、非エンボス部５０には、複数のエンボス凸部ＥＣ１と複数の非エンボス凸部ＮＥ１は、いずれも形成されていない（図８〜図１０参照）。
【０１１７】
ここで、非エンボス凸部ＮＥ１は、複数のエンボス凸部ＥＣ１に囲まれた凸部が形成されない部分を示す（図９、図１０参照）。なお、エンボス部３０、非エンボス部５０は、本発明の衛生薄葉紙を構成する第１のシートに形成される第１のエンボス部、第１の非エンボス部の一例である。
【０１１８】
クレープ紙２０には、エンボス凸部ＥＣ２とエンボス凸部ＥＣ２に対応するエンボス凹部ＥＤ２とがクレープ紙２０の表裏に複数形成されている（図９参照）。各エンボス凸部ＥＣ２の頂部（またはエンボス凹部ＥＤ２の開口部）は、平面視で四角形状を有する（図９参照）。また、エンボス凸部ＥＣ２（またはエンボス凹部ＥＤ２）の側面は、エンボス凹部ＥＤ２の底部から開口部に向かって図示しないテーパで形成されている。
【０１１９】
エンボス凸部ＥＣ２は、クレープ紙１０と同様に、図示しない凸エンボスロールをクレープ紙２０に押し付けることにより、クレープ紙２０の一方の面上に形成される。一方、エンボス凹部ＥＤ２は、エンボス凸部ＥＣ２に対応するエンボス凹部としてクレープ紙２０の他方の面上に形成される（図９、図１０参照）。
【０１２０】
クレープ紙２０は、エンボス部４０と非エンボス部６０とを有する。エンボス部４０には、複数のエンボス凸部ＥＣ２と複数の非エンボス凸部ＮＥ２が形成されている。一方、非エンボス部６０には、複数のエンボス凸部ＥＣ２と複数の非エンボス凸部ＮＥ２は形成されていない（図８〜図１０参照）。
【０１２１】
ここで、非エンボス凸部ＮＥ２は、複数のエンボス凸部ＥＣ２に囲まれた凸部が形成されない部分を示す（図９、図１０参照）。なお、エンボス部４０、非エンボス部６０は、本発明の衛生薄葉紙を構成する第２のシートに形成される第２のエンボス部、第２の非エンボス部の一例である。
【０１２２】
第３実施形態のキッチンペーパー１００では、クレープ紙１０とクレープ紙２０とが、エンボス凸部ＥＣ１、ＥＣ２の形成面をネステッド形式で対面させて一体化されている。具体的には、クレープ紙１０のエンボス凸部ＥＣ１は、クレープ紙２０の非エンボス凸部ＮＥ２（エンボス凸部ＥＣ２が設けられていない部分）に対向して配置されている。一方、クレープ紙２０のエンボス凸部ＥＣ２は、クレープ紙１０の非エンボス凸部ＮＥ１（エンボス凸部ＥＣ１が設けられていない部分）に対向して配置されている（図７〜図１０参照）。
【０１２３】
また、クレープ紙１０のエンボス凸部ＥＣ１の頂部は、クレープ紙２０の非エンボス凸部ＮＥ２に対して、図示しない接着剤により接着されている（図１０参照）。クレープ紙１０のエンボス凸部ＥＣ１の頂部とクレープ紙２０の非エンボス凸部ＮＥ２とを接着させることにより、２枚のクレープ紙１０、２０の接着部分を一方のクレープ紙（クレープ紙１０）側にバランスよく配置することができる。そのため、接着剤による吸収性能の低下を少なくすることができる。なお、接着剤には、図１のキッチンペーパーと同様に、積層構造を有するキッチンペーパーに採用される公知の接着剤を用いることができる。
【０１２４】
なお、クレープ紙１０のエンボス凸部ＥＣ１の頂部とクレープ紙２０の非エンボス凸部ＮＥ２とを接着する代わりに、クレープ紙２０のエンボス凸部ＥＣ２の頂部とクレープ紙１０の非エンボス凸部ＮＥ１とを接着してもよい。また、クレープ紙１０のエンボス凸部ＥＣ１の頂部をクレープ紙２０の非エンボス凸部ＮＥ２に接着し、かつクレープ紙２０のエンボス凸部ＥＣ２の頂部をクレープ紙１０の非エンボス凸部ＮＥ１に接着してもよい。
【０１２５】
第３実施形態では、図７〜図１０に示すように、クレープ紙１０の非エンボス部５０及びクレープ紙２０の非エンボス部６０は、交差部を持たない形状を有する。すなわち、クレープ紙１０、２０の非エンボス部５０、６０内に非エンボス部同士が交差する部分がない。具体的には、クレープ紙１０の非エンボス部５０の交差部となり得る部分には、エンボス凸部ＮＣ１が形成され、クレープ紙２０の非エンボス部６０の交差部となり得る部分には、エンボス凸部ＮＣ２が形成されている（図７〜図１０参照）。
【０１２６】
このような交差部を持たない構造にすることで、図７に示す第３実施形態では、非エンボス部５０、６０内に油分等が滞留する可能性のある交差部が存在しないため、油分等の拡散性をさらに向上させ、油分等の裏抜けをより低減することができる（図７参照）。なお、非エンボス部５０及び非エンボス部６０が有する交差部を持たない形状は、本発明における非エンボス部が有する交差部を持たない形状の一例である。
【０１２７】
また、第３実施形態では、図７〜図１０に示すように、クレープ紙１０の非エンボス部５０は、クレープ紙２０のエンボス部４０と対面し、クレープ紙２０の非エンボス部６０は、クレープ紙１０のエンボス部３０と対面するように、クレープ紙１０にエンボス部３０と非エンボス部５０が形成され、クレープ紙２０にエンボス部４０と非エンボス部６０が形成されている。
【０１２８】
第３実施形態では、このような構成を採用することにより、クレープ紙１０とクレープ紙２０との間で、クレープ紙１０の非エンボス部５０とクレープ紙２０の非エンボス部６０とが対面しないため、クレープ紙１０とクレープ紙２０との間に潰れ易い非エンボス空間が形成されることはない（図１０参照）。そのため、第３実施形態によれば、キッチンペーパー１００の荷重に対する厚み方向の強度を高くすることができ、荷重時の吸収性能を向上させる（例えば、キッチンペーパー１００の油分等の裏抜けを低減する）ことができる。
【０１２９】
また、クレープ紙１０の非エンボス部５０とクレープ紙２０の非エンボス部６０とが対面しない構造では、非エンボス部５０、６０がキッチンペーパー１００内に分散して配置されるため、非エンボス部５０、６０を介して油分等が拡散し易くなる（図７〜図１０参照）。そのため、第３実施形態によれば、非エンボス空間を形成しなくても、吸収した油分等の拡散性を維持することができる。
【０１３０】
また、図７に示すように、第３実施形態では、クレープ紙１０とクレープ紙２０との間で非エンボス部同士が対面しない構造では、クレープ紙１０とクレープ紙２０との間で、非エンボス空間が形成されない。そのため、図７に示す第３実施形態では、非エンボス空間が交差する空間（油分等が滞留し易い部分）も当然に存在しない。そのため、第３実施形態によれば、非エンボス空間が交差する空間に油分等が滞留するのを防ぐ観点からも、油分等の拡散性を向上させ、油分等の裏抜けを低減することができる。
【０１３１】
なお、図７に示すような、クレープ紙１０とクレープ紙２０との間に、非エンボス空間が形成されない構造は、本発明における非エンボス部同士が対向して形成される空間がない構成の一例である。
【０１３２】
また、第３実施形態では、図７に示すように、非エンボス部５０、６０がキッチンペーパー１００内に分散して配置されている（図７、図８参照）。そのため、図７に示す第３実施形態でも、非エンボス空間を形成しなくても、デザイン性を維持することができる。
【０１３３】
また、第３実施形態では、ネステッド形式の積層構造が採用されているため、キッチンペーパー１００の使用対象（例えば、食器、揚げ物等）との接触面積を小さくすることができ、使用時に荷重がかかってもキッチンペーパー１００内の空間が潰れ難い。その上、クレープ紙１０とクレープ紙２０間に非エンボス空間を設けなくても、油分等の拡散性を向上させ、油分等の裏抜けを低減することができる（図７〜図１０参照）。そのため、第３実施形態によれば、クレープ紙１０、２０の坪量や紙厚を小さくすることができ、キッチンペーパー１００の厚みを薄くすることができる。
【０１３４】
また、第３実施形態では、図７に示すように、キッチンペーパー１００が２つ以上の領域を有し、キッチンペーパー１００を構成するクレープ紙１０、２０がそれぞれ、２つ以上の領域（シート領域）を有する。図８（Ａ）に示すように、クレープ紙１０のシート領域（第１のシート領域１１、第２のシート領域１２、第３のシート領域１３、及び第４のシート領域１４）には、非エンボス部５０を有さない領域と非エンボス部５０を有する領域とが形成されている。一方、図８（Ｂ）に示すように、クレープ紙２０のシート領域（第５のシート領域２１、第６のシート領域２２、第７のシート領域２３、及び第８のシート領域２４）には、非エンボス部６０を有さない領域と非エンボス部６０を有する領域とが形成されている。そして、非エンボス部５０を有する領域と非エンボス部６０を有する領域とが重ならないように配置されている。
【０１３５】
具体的には、図７に示すように、キッチンペーパー１００は４つの領域７０を有している。４つの領域７０は、第１の領域７１〜第４の領域７４に区分けすることができる。４つの領域７０のうち、第１の領域７１、第３の領域７３には、クレープ紙２０の非エンボス部６０が配置され、第２の領域７２、第４の領域７４には、クレープ紙１０の非エンボス部５０が配置されている。
【０１３６】
第３実施形態では、図８（Ａ）に示すように、クレープ紙１０のエンボス部３０を第１のエンボス領域３１〜第４のエンボス領域３４に区分けし、クレープ紙１０の非エンボス部５０を第２の非エンボス領域５２と第４の非エンボス領域５４に区分けする。また、図８（Ｂ）に示すように、クレープ紙２０のエンボス部４０を第１のエンボス領域４１〜第４のエンボス領域４４に区分けし、クレープ紙２０の非エンボス部６０を第１の非エンボス領域６１と第３の非エンボス領域６３に区分けする。
【０１３７】
そうすると、キッチンペーパー１００の４つの領域のうち、第１の領域７１では、クレープ紙１０の第１のエンボス領域３１とクレープ紙２０の第１の非エンボス領域６１が対面する。また、第２の領域７２では、クレープ紙１０の第２の非エンボス領域５２とクレープ紙２０の第２のエンボス領域４２とが対面する。さらに、第３の領域７３では、クレープ紙１０の第３のエンボス領域３３とクレープ紙２０の第３の非エンボス領域６３が対面する。そして、第４の領域７４では、クレープ紙１０の第４の非エンボス領域５４とクレープ紙２０の第４のエンボス領域４４とが対面する（図７〜図１０参照）。
【０１３８】
第３実施形態では、クレープ紙１０の非エンボス部５０が、第２、第４の領域７２、７４に配置され、クレープ紙２０の非エンボス部６０が、第１、第３の領域７１、７３に配置されている。このような構成では、４つの領域に配置された非エンボス部５０、６０の非エンボス領域５２、５４、６１、６３は、クレープ紙１０とクレープ紙２０間で非エンボス部同士が対面しない。そのため、非エンボス部同士が対面して形成される非エンボス空間（潰れやすい空間）が形成されることはない（図７〜図１０参照）。
【０１３９】
これにより、第３実施形態では、各クレープ紙に形成される非エンボス部５０、６０の各非エンボス領域５２、５４、６１、６３の面積を増やすことができる。その結果、第３実施形態では、荷重に対する厚み方向の強度を維持することができ、荷重時の吸収性能を向上させることができる。また、第３実施形態では、非エンボス空間が存在しなくても、油分等の分散性の低下を抑制することができ、しかもデザイン性を維持することができる（図７〜図１０参照）。
【０１４０】
第３実施形態では、クレープ紙２０のエンボス部４０に対面するクレープ紙１０の非エンボス部５０のパターンとクレープ紙１０のエンボス部３０に対面するクレープ紙２０の非エンボス部６０のパターンとが、９０°×ｎ回転対称となっている。ここで、ｎは奇数である。具体的には、図７及び図８に示すように、クレープ紙１０の非エンボス部５０のパターンとクレープ紙２０の非エンボス部６０のパターンとが９０°または２７０°回転対称になっている。なお、非エンボス部のパターンの形状は、任意である。図７に示す第３実施形態では、図８に示すように、パターンの形状は十字形である。
【０１４１】
このような回転対称の位置関係になるパターンを有する非エンボス部５０、６０をクレープ紙１０、２０にそれぞれ形成することにより、クレープ紙１０とクレープ紙２０との間に非エンボス部を規則的に配置することができる。すなわち、図７に示すように、非エンボス部５０、６０のパターンは、キッチンペーパー１００の全体で視たときに、幾何学模様を呈することができる。そのため、図７に示す第３実施形態によれば、非エンボス空間を設けなくても、油分等の分散性の低下をさらに抑制することができ、しかもデザイン性を維持することができる。
【０１４２】
また、見方を変えると、第３実施形態では、図７に示すように、クレープ紙２０のエンボス部４０に対面するクレープ紙１０の非エンボス部５０のパターンと、クレープ紙１０のエンボス部３０に対面するクレープ紙２０の非エンボス部６０のパターンとが、線対称になっている。
【０１４３】
このような線対称の位置関係になるパターンを有する非エンボス部５０、６０をクレープ紙１０、２０にそれぞれ形成することによっても、クレープ紙１０とクレープ紙２０の間に非エンボス部５０、６０を規則的に配置することができる（図７、図８参照）。そのため、図７に示す第３実施形態によれば、油分等の分散性の低下をさらに抑制することができ、しかもデザイン性を維持することができる。
【０１４４】
また、図７に示すキッチンペーパー１００では、クレープ紙１０の非エンボス部５０及びクレープ紙２０の非エンボス部６０の面積率（非エンボス部が形成されるシート表面に占める非エンボス部の面積の割合）は、３〜１６％であり、好ましくは５〜１３％であり、より好ましくは６〜１１％である。非エンボス部５０、６０の面積率が３％未満では、十分な油分等の分散性が得られない可能性がある。また、非エンボス部５０、６０の面積率が１３％を超える場合、エンボス凸部の数が少ないため、荷重時の厚み方向に対する十分な強度が得られない可能性がある。
【０１４５】
また、図１１は、本発明の実施形態（第４実施形態）に係るキッチンペーパーを示し、図１２（Ａ）及び（Ｂ）は、図１１のキッチンペーパーを構成するクレープ紙を示す図である。
【０１４６】
図１１及び図１２に示す第４実施形態においても、クレープ紙２０のエンボス部４０に対面するクレープ紙１０の非エンボス部５０のパターンとクレープ紙１０のエンボス部３０に対面するクレープ紙２０の非エンボス部６０のパターンとが、９０°×ｎ回転対称（ｎは奇数）となっている。具体的には、クレープ紙１０の非エンボス部５０のパターンとクレープ紙２０の非エンボス部６０のパターンとが９０°または２７０°回転対称になっている。なお、図１１の第４実施形態では、図１２に示すように、各非エンボス領域５２、５４、６１、６３を４つの長方形で構成されている。
【０１４７】
図１１及び図１２に示す第４実施形態では、このような回転対称の位置関係になるパターンを有する非エンボス部５０、６０をクレープ紙１０、２０にそれぞれ形成することにより、クレープ紙１０とクレープ紙２０との間に非エンボス部を規則的に配置することができる。すなわち、図１１に示すように、非エンボス部５０、６０のパターンは、キッチンペーパー１００の全体を視たときに、幾何学模様を呈することができる。そのため、第４実施形態によれば、非エンボス空間を設けなくても、油分等の分散性の低下をさらに抑制することができ、しかもデザイン性を維持することができる。
【０１４８】
また、見方を変えると、図１１の例でも、クレープ紙２０のエンボス部４０に対面するクレープ紙１０の非エンボス部５０のパターンと、クレープ紙１０のエンボス部３０に対面するクレープ紙２０の非エンボス部６０のパターンとが、線対称になっている。このような線対称の位置関係になるパターンを有する非エンボス部５０、６０をクレープ紙１０、２０にそれぞれ形成することによっても、クレープ紙１０とクレープ紙２０の間に非エンボス部５０、６０を規則的に配置することができる。そのため、図１１に示す第４実施形態によれば、油分等の分散性の低下をさらに抑制することができ、しかもデザイン性を維持することができる。
【実施例】
【０１４９】
以下、本発明について、さらに実施例を用いて具体的に説明する。実施例、比較例の測定、評価は、以下のように行った。【０１５０】
［原紙］
［坪量］
試験で使用するキッチンペーパークレープ紙（原紙）の坪量（米坪、ｇ／ｍ２）は、ＪＩＳ  Ｐ  ８１２４（１９９８）により算出する。【０１５１】
［嵩］
キッチンペーパーの嵩（５枚重ね）（ｍｍ）を測定する。キッチンペーパーの嵩の測定方法は、１２ｃｍ×１２ｃｍに裁断した試験片をＪＩＳ  Ｐ  ８１１１（１９９８）の条件下で十分に調湿した後、同条件下でダイヤルシックネスゲージ（厚み測定器）「ＰＥＡＣＯＣＫ  Ｇ型」（尾崎製作所製）を用いて測定する。測定の具体的な手順は、プランジャーと測定台の間にゴミ、チリ等がないことを確認してプランジャーを測定台の上におろし、該ダイヤルシックネスゲージのメモリを移動させてゼロ点を合わせる。次いで、プランジャーを上げて試験片を試験台の上におき、プランジャーをゆっくりと下ろし、そのときのゲージを読み取る。このとき、プランジャーをのせるだけとする。また、プランジャーの端子は金属製で直径３０ｍｍの円形の平面が紙平面に対し垂直に当たるようにする。この嵩の測定時の荷重は、１２０μｍの際に約７０ｇｆである。なお、嵩の測定値は、測定を１０回行って得られる平均値とする。【０１５２】
［吸油試験］
吸油試験（油吸収性の試験）の測定方法は、嵩の測定と同様に、試験片２００を１２ｃｍ×１２ｃｍに裁断する。電子天秤（株式会社エー・アンド・デイ製のＨＲ３００等）を用いて、図１３に示すプラスチック製のシート２０２（寸法：約１２ｃｍ×１２ｃｍ、厚み：０．２ｍｍ、重さ：２．７ｇ、材質：ポリプロピレン）、試験片２００、錘２０４（直径：約８２ｍｍ、厚み：１０ｍｍ、重さ：５９ｇ、材質：アクリル）、下紙２０８（コピー用紙を約１２ｃｍ×１２ｃｍに裁断したものを５枚）の各重量を測定する。測定後、プラスチック製のシート２０２の上に試験片２００を載せ、試験片２００の中央に錘２０４を載せる。なお、錘２０４には厚み方向に貫通する孔が設けられている。孔の直径は、約１２ｍｍである。【０１５３】
その後、ピペット（Ｔｈｅｒｍｏ  ｓｃｉｅｎｔｉｆｉｃ社製、ＦｉｎｎｐｉｐｅｔｔｅＦ２、０．５〜５ｍｌ）で２．３ｍｌ（約２．０ｇ）の油２０６（常温のサラダ油）（日清オイリオグループ株式会社製の日清サラダ油）を錘２０４の孔から滴下する。このとき滴下位置（エンボス部）は、図１３に示すように試験片２００の中心位置に固定しておく。【０１５４】
滴下２分後、錘２０４を取り除き、重量（図中（１）の戻り量）を測定する。その後、プラスチック製のシート２０２を取り除き重量（図中（２）の裏抜け量）を測定する。そして、試験片２００の重量（図中（３）の吸収量）を測定し、下紙２０８に置きなおしてから、さらに５分後、試験片２００の重量（最終保持した油量、図中（４）の最終保持量）、下紙２０８の油量（保持できなかった油量、図中（５）の最終裏抜け量）を測定する（図１３参照）。【０１５５】
各試験片２００について、図１３に示すように、試験片吸油量（ｇ）、裏抜け量（ｇ）、戻り量（ｇ）、滴下油量（ｇ）、最終保持量（ｇ）、裏抜け総量（ｇ）、滴下油量に対する試験片吸油率（％）、裏抜け率（％）、戻り率（％）、最終保持率（％）、裏抜け総率（％）を測定し、表１に示した。【０１５６】
試験片吸油量（ｇ）等の各項目は、下記に列挙する式により算出した。
・試験片吸油量（ｇ）＝滴下２分後の試験片重量−試験片重量
・裏抜け量（ｇ）＝滴下２分後のプラスチック製のシート重量−プラスチック製のシート重量
・戻り量（ｇ）＝滴下２分後の錘重量−錘重量
・滴下油量（ｇ）＝試験片吸油量＋裏抜け量＋戻り量
・最終保持量（ｇ）＝５分後の試験片重量−試験片重量
・最終裏抜け量（ｇ）＝５分後の下紙の重量−下紙の重量
・裏抜け総量（ｇ）＝裏抜け量＋最終裏抜け量
・試験片吸油率（％）＝試験片吸油量÷滴下油量×１００
・裏抜け率（％）＝裏抜け量÷滴下油量×１００
・戻り率（％）＝戻り量÷滴下油量×１００
・最終保持率（％）＝最終保持量÷滴下油量×１００
・最終裏抜け率（％）＝最終裏抜け量÷滴下油量×１００
・裏抜け総率（％）＝裏抜け総量÷滴下油量×１００
なお、試験片吸油量（ｇ）、裏抜け量（ｇ）、戻り量（ｇ）、滴下油量（ｇ）、最終保持量（ｇ）、最終裏抜け量（ｇ）、裏抜け総量（ｇ）の各測定値は、測定を３回行って得られる平均値とする。これらの試験片吸油量（ｇ）等から、試験片吸油率（％）、裏抜け率（％）、戻り率（％）、最終保持率（％）、最終裏抜け率（％）、裏抜け総率（％）を算出した。【０１５７】
［実施例１］
実施例１では、図１〜図４に示す第１実施形態のキッチンペーパー１００を用いた。実施例１では、原紙として、繊維原料がパルプ１００質量％、米坪２２．１ｇ/ｍ２の原紙を用いた２枚のクレープ紙１０、２０を上下方向に重ねた（２プライ）。エンボス条件については、ネステッド形式を採用し、エンボス凸部ＥＣ１、ＥＣ２の面積を１．１ｍｍ２とし、エンボス凸部ＥＣ１、ＥＣ２の形状を四角形とし、非エンボス部５０のパターンを十字形で該十字形に交差部を持たない形状とし、エンボス凸部ＥＣ１、ＥＣ２の合計の個数を２０９０個／１４４ｃｍ２とし、クレープ紙１０のエンボス凸部ＥＣ１とクレープ紙２０の非エンボス凸部ＮＥ２との糊付け面積率（クレープ紙１０の非エンボス凸部ＮＥ１とクレープ紙２０のエンボス凸部ＥＣ２との糊付け面積率）を８．４％とし、全エンボス凸部ＥＣ１、ＥＣ２の容積を１０７３８ｍｍ２とし、非エンボス部５０の面積率を１０.８％とした。実施例１の条件及び結果を表１に示す。【０１５８】
［実施例２］
実施例２では、図５及び図６に示す第２実施形態のキッチンペーパー１００を用いた。実施例２では、原紙の米坪を２１．５ｇ/ｍ２とし、エンボス条件のうち、非エンボス部５０の非エンボス領域５１、５３に形成された各パターンを４個の細長い長方形が所定の間隔で配置された形状とし、非エンボス部５０の非エンボス領域５２、５４に形成された各パターンを１２個の細長い長方形が所定の間隔で配置された形状とし、エンボス凸部ＥＣ１、ＥＣ２の合計の個数を２１０５個／１４４ｃｍ２とし、全エンボス凸部ＥＣ１、ＥＣ２の合計の容積を１０７５９ｍｍ２とし、非エンボス部５０の面積率を１０．７％とした以外は、実施例１と同様にした。実施例２の条件及び結果を表１に示す。【０１５９】
［実施例３］
実施例３では、図７〜図１０に示す第３実施形態のキッチンペーパー１００を用いた。実施例３では、クレープ紙２０に非エンボス部６０を形成した以外は、実施例１と同様にした。実施例３の条件及び結果を表１に示す。【０１６０】
［実施例４］
実施例４では、図１１及び図１２に示す第４実施形態のキッチンペーパー１００を用いた。実施例４では、エンボス条件のうち、非エンボス部５０の非エンボス領域５２、５４、及び非エンボス部６０の非エンボス領域６１、６３各の各パターンを４個の細長い長方形が所定の間隔で配置された形状とし、エンボス凸部ＥＣ１、ＥＣ２の合計の個数を２１３７個／１４４ｃｍ２とし、クレープ紙１０のエンボス凸部ＥＣ１とクレープ紙２０の非エンボス凸部ＮＥ２との糊付け面積率（クレープ紙１０の非エンボス凸部ＮＥ１とクレープ紙２０のエンボス凸部ＥＣ２との糊付け面積率）を８．６％とし、全エンボス凸部ＥＣ１、ＥＣ２の合計の容積を１０６３１ｍｍ２とし、非エンボス部５０の面積率を６．７％とした以外は、実施例１と同様にした。実施例４の条件及び結果を表１に示す。【０１６１】
［比較例１］
比較例１では、図１４〜図１７示すキッチンペーパー１００を用いた。比較例１では、エンボス条件として、ティップ  トゥ  ティップ（ＴＩＰ  ＴＯ  ＴＩＰ）形式を採用し、非エンボス部５０、６０の各面積率を３７．４％とし、非エンボス部５０、６０のパターンを格子形状とした以外は、実施例１と同様にした。比較例１では、非エンボス部５０と非エンボス部６０とが対面して形成され、交差部ＣＰを有する非エンボス空間ＬＮが形成されている。比較例１の条件及び結果を表１に示す。【０１６２】
［比較例２］
比較例２では、図１８〜図２１に示すキッチンペーパー１００を用いた。比較例２では、原紙については、米坪２１．２ｇ/ｍ２の原紙を用いた以外は、実施例１と同様にした。エンボス条件については、非エンボス部５０のパターンをハニカム形状とし、エンボス凸部ＥＣ１、ＥＣ２の形状を三角形とし、エンボス凸部ＥＣ１、ＥＣ２の合計の個数を２１７２個／１４４ｃｍ２とし、クレープ紙１０のエンボス凸部ＥＣ１とクレープ紙２０の非エンボス凸部ＮＥ１との糊付け面積率を８．１％とし、全エンボス凸部ＥＣ１、ＥＣ２の合計の容積を１３２７５ｍｍ２とし、非エンボス部５０、６０の各面積率を１９．１％とした以外は、実施例１と同様にした。なお、比較例２では、非エンボス部５０と非エンボス部６０とが対面して形成され、交差部ＣＰを有する非エンボス空間ＬＮが形成されている。比較例２の条件及び結果を表１に示す。【０１６３】
【表１】
0006461449.tif 000002
【０１６４】
表１より、実施例１〜実施例４（図１〜図１８参照）では、滴下油量に対する試験片吸油率、および最終保持率のいずれも、比較例１、比較例２（図１４〜図２１参照）に対して高くなっている。また、滴下油量に対する試験片の戻り率は、比較例１、比較例２に対して低くなっている。すなわち、実施例１〜実施例４は、油保持性能が高いことを示している。特に、同じネステッド形式の積層構造を備える比較例２に対して、実施例１〜実施例４は高い油保持性能を示している。【０１６５】
また、実施例１〜実施例４では、滴下油量に対する裏抜け率、裏抜け総率のいずれも、比較例１、比較例２に対して低くなっている。この結果は、実施例１〜実施例４が油の裏抜けを抑制している（染み出し難い）ことを示している。特に、同じネステッド形式の積層構造を備える比較例２に対しても、実施例１〜４は油の裏抜けがし難いことを示している。【０１６６】
さらに、デザイン性を比較しても、実施例１〜実施例４では、キッチンペーパー１００全体に非エンボス部が配置されているため、非エンボス空間が存在する比較例１及び比較例２に対してもデザイン性に劣るものではない（図１〜図１２参照）。【０１６７】
これらの結果から、本実施形態のように第１のシートに形成された非エンボス部が交差部を持たない形状を有する衛生薄葉紙は、吸収性、デザイン性を維持しながら、荷重時の吸収性能に優れるものであることが判った。【０１６８】
以上、本発明の好ましい実施形態について詳述したが、本発明は係る特定の実施形態に限定されるものではなく、特許請求の範囲に記載された発明の範囲内において、種々の変形、変更が可能である。【０１６９】
本国際出願は、２０１７年３月２日に出願された日本国特許出願２０１７−３９６６２号に基づく優先権を主張するものであり、その全内容をここに援用する。
【符号の説明】
【０１７０】
１００  キッチンペーパー
１０  クレープ紙
ＥＣ１  エンボス凸部
ＥＤ１  エンボス凹部
ＮＥ１  非エンボス凸部
１１  第１のシート領域
１２  第２のシート領域
１３  第３のシート領域
１４  第４のシート領域
２０  クレープ紙
ＥＣ２  エンボス凸部
ＥＤ２  エンボス凹部
ＮＥ２  非エンボス凸部
２１  第５のシート領域
２２  第６のシート領域
２３  第７のシート領域
２４  第８のシート領域
３０  エンボス部
３１  第１のエンボス領域
３２  第２のエンボス領域
３３  第３のエンボス領域
３４  第４のエンボス領域
４０  エンボス部
４１  第１のエンボス領域
４２  第２のエンボス領域
４３  第３のエンボス領域
４４  第４のエンボス領域
５０  非エンボス部
ＮＣ１  エンボス凸部
５２  第２の非エンボス領域
５４  第４の非エンボス領域
６０  非エンボス部
ＮＣ２  エンボス凸部
６１  第１の非エンボス領域
６３  第３の非エンボス領域
７０  領域
７１  第１の領域
７２  第２の領域
７３  第３の領域
７４  第４の領域
【要約】
エンボス凸部と該エンボス凸部に対応するエンボス凹部とが表裏に複数形成された第１のシートと、エンボス凸部と該エンボス凸部に対応するエンボス凹部とが表裏に複数形成された第２のシートとを有し、前記第１のシートと前記第２のシートとが、エンボス凸部の形成面をネステッド形式で対面させて一体化した衛生薄葉紙であって、前記第１のシート及び前記第２のシートは、複数のエンボス凸部と複数の非エンボス凸部とが形成されたエンボス部を有し、前記第１のシート及び前記第２のシートの少なくともいずれかが、複数のエンボス凸部と複数の非エンボス凸部とが形成されない非エンボス部を有し前記非エンボス部が、交差部を持たない形状を有する、衛生薄葉紙。【図１】
0006461449.tif 000003
【図２】
0006461449.tif 000004
【図３】
0006461449.tif 000005
【図４】
0006461449.tif 000006
【図５】
0006461449.tif 000007
【図６】
0006461449.tif 000008
【図７】
0006461449.tif 000009
【図８】
0006461449.tif 000010
【図９】
0006461449.tif 000011
【図１０】
0006461449.tif 000012
【図１１】
0006461449.tif 000013
【図１２】
0006461449.tif 000014
【図１３】
0006461449.tif 000015
【図１４】
0006461449.tif 000016
【図１５】
0006461449.tif 000017
【図１６】
0006461449.tif 000018
【図１７】
0006461449.tif 000019
【図１８】
0006461449.tif 000020
【図１９】
0006461449.tif 000021
【図２０】
0006461449.tif 000022
【図２１】
0006461449.tif 000023